(57)【要約】【課題】マイクコードの引出方向を可変にするための回転機構を有するバウンダリーマイクロホンにおいて、その回転機構部分に耐電磁波性の良好なシールドを施す。【解決手段】机等の平坦な載置面上に設置される扁平形状の金属材からなるマイクロホンケース１０を備え、マイクロホンケース１０内にコンデンサマイクロホンユニットがインピーダンス変換器とともに収納され、マイクロホンケース１０の底面側に形成されている凹部１３内に、マイクケーブルＭＣが接続される接続筐体４が載置面と平行な回転軸４１を介して回転可能に設けられ、マイクケーブルＭＣの引出方向が変えられるバウンダリーマイクロホンにおいて、凹部１３の内壁面と接続筐体４の側壁面との間に、その間の隙間を埋めるように導電布６０を配置する。【選択図】図２
2010226438.tif 000002
【特許請求の範囲】
【請求項１】
机等の平坦な載置面上に設置される扁平形状の金属材からなるマイクロホンケースを備え、上記マイクロホンケース内にコンデンサマイクロホンユニットがインピーダンス変換器とともに収納され、上記マイクロホンケースの底面側に形成されている凹部内に、マイクケーブルが接続される接続筐体が上記載置面と平行な回転軸を介して回転可能に設けられ、上記マイクケーブルの引出方向が変えられるバウンダリーマイクロホンにおいて、
上記凹部の内壁面と上記接続筐体の側壁面との間に、その間の隙間を埋めるように導電布が配置されていることを特徴とするバウンダリーマイクロホン。
【請求項２】
上記導電布はワッシャー状に形成され、上記回転軸の周りに配置されていることを特徴とする請求項１に記載のバウンダリーマイクロホン。
【発明の詳細な説明】
【技術分野】
【０００１】
本発明は、マイクコードの引出方向を可変にするための回転機構を有するバウンダリーマイクロホンに関し、さらに詳しく言えば、回転機構部分に耐電磁波性の良好なシールドを施す技術に関するものである。
【背景技術】
【０００２】
会議場やテレビ番組等において、卓上もしくは床面に設置されて使用されるマイクロホンのひとつとして、バウンダリーマイクロホン（面上収音式マイクロホン）がある。バウンダリーマイクロホンは、その存在を目立たないようにするため、図８に示すような高さを抑えた扁平なマイクロホンケース１０を備えている。
【０００３】
通常、マイクロホンケース１０の後部からは、図示しないファントム電源等に接続するためのマイクケーブルＭＣが引き出されているが、そのマイクケーブルＭＣの引出方向が設置面に沿って平行な一方向だけであると、例えば卓上で使用する場合、マイクケーブルＭＣの一部分が卓上で引き回されることになる。
【０００４】
したがって、特にテレビ番組の収録時等において、多数のマイクロホンが設置される場合、その引き回し配線部分が乱雑となり、映像上見苦しく感じられることがある。
【０００５】
そこで、特許文献１に記載された発明では、マイクロホンケース１０内に回転機構ＲＭを設けて、マイクケーブルＭＣの引出方向を、図８（ａ）に示す水平方向と、図８（ｂ）に示す垂直下方向とに選択できるようにしている。
【０００６】
これによれば、例えばテレビ番組等において、マイクケーブルＭＣの引出方向に気を遣う場合には、図８（ｂ）に示すように、マイクケーブルＭＣの引出方向を垂直下方向とすることにより、マイクケーブルＭＣをテーブル等に設けられている孔等から直接その下面側に引き出すことができる。
【０００７】
しかしながら、マイクロホンケース１０と回転機構ＲＭとの間の電気的接続が点状の接触であり、その部分でのシールドが不完全であることから、外来電磁波に起因する高周波電流がマイクロホンケース１０内に入り込みやすくなる。
【０００８】
マイクロホンケース１０内に高周波電流が入り込むと、コンデンサマイクロホンユニットが備えるインピーダンス変換器としてのＦＥＴ（電界効果トランジスタ）で検波されて可聴周波数の耳障りな雑音が発生する。
【０００９】
特に、近年急速に普及している携帯電話機が使用されるとかなり強い電磁波（例えば、数ｃｍ〜数１０ｃｍ程度の範囲内では商用電波により市中で生じている電界強度の数万倍に達する電界強度）が放射されるため、携帯電話機がマイクロホンの近傍で使用されることによる雑音発生対策が急務となっている。
【先行技術文献】
【特許文献】
【００１０】
【特許文献１】特開２００５−１６７４８０号公報
【発明の概要】
【発明が解決しようとする課題】
【００１１】
したがって、本発明の課題は、マイクコードの引出方向を可変にするための回転機構を有するバウンダリーマイクロホンにおいて、その回転機構部分に耐電磁波性の良好なシールドを施すことにある。
【課題を解決するための手段】
【００１２】
上記課題を解決するため、本発明は、机等の平坦な載置面上に設置される扁平形状の金属材からなるマイクロホンケースを備え、上記マイクロホンケース内にコンデンサマイクロホンユニットがインピーダンス変換器とともに収納され、上記マイクロホンケースの底面側に成されている凹部内に、マイクケーブルが接続される接続筐体が上記載置面と平行な回転軸を介して回転可能に設けられ、上記マイクケーブルの引出方向が変えられるバウンダリーマイクロホンにおいて、上記凹部の内壁面と上記接続筐体の側壁面との間に、その間の隙間を埋めるように導電布が配置されていることを特徴としている。
【００１３】
本発明の好ましい態様によれば、上記導電布はワッシャー状に形成され、上記回転軸の周りに配置される。
【発明の効果】
【００１４】
本発明によれば、マイクケーブルが接続される回転可能な接続筐体と、この接続筐体が収納される凹部との間に、導電布を好ましくはワッシャー状に形成して接続筐体の回転軸の周りに配置して、導電布によって凹部の内壁面と接続筐体の側壁面との間の隙間を埋めるようにしたことにより、接続筐体とマイクロホンケースとが導電布を介してより大きな面積で電気的に接続されるため、回転機構部分のシールド性をより高めることができる。
【図面の簡単な説明】
【００１５】
【図１】本発明の実施形態に係るバウンダリーマイクロホンを示す平面図。
【図２】上記バウンダリーマイクロホンを示す底面図。
【図３】上記バウンダリーマイクロホンの底蓋を外した状態を示す底面図。
【図４】上記バウンダリーマイクロホンが備える接続筐体を示す（ａ）平面図、（ｂ）そのＡ−Ａ線断面図、（ｃ）分解断面図。
【図５】上記バウンダリーマイクロホンに適用される導電布を示す（ａ）正面図、（ｂ）その断面図。
【図６】（ａ），（ｂ）接続筐体と位置決め手段との相対関係の２態を示す側面図。
【図７】軸受けスペーサの形状および取り付け形態を示す斜視図。
【図８】従来のバウンダリーマイクロホンにおける（ａ）マイクケーブル水平引出状態を示す断面図、（ｂ）マイクケーブル垂直引出状態を示す断面図。
【発明を実施するための形態】
【００１６】
次に、図１ないし図７により、本発明の実施形態について説明するが、本発明はこれに限定されるものではない。
【００１７】
まず、図１ないし図３を参照して、本発明の実施形態に係るバウンダリーマイクロホンにおいても、机等の平坦な載置面に対してその存在を目立たなくするために扁平に形成されたマイクロホンケース１０を備える。
【００１８】
マイクロホンケース１０は、上面側が開放された金属製のベース部１１と、多数の開口を有しベース部１１の上面側に被せられる保護カバー１２とを含んで構成される。保護カバー１２には、多孔金属板（パンチングメタル）や鋼線の金網体（メタルガードメッシュ）が用いられてよい。
【００１９】
図示が省略されているが、マイクロホンケース１０内、すなわちベース部１１と保護カバー１２とで作られるシールド空間内には、コンデンサマイクロホンユニットや、そのインピーダンス変換器としてのＦＥＴ（電界効果トランジスタ）、音声出力回路等を含む回路基板が収納される。
【００２０】
図２に示すように、ベース部１１の後部側には底蓋１４が設けられており、底蓋１４を取り外すと、図３に示すように凹部１３が現れ、この凹部１３内にマイクケーブルＭＣが接続される接続筐体４が回転可能に収納されている。
【００２１】
底蓋１４は、接続筐体４と対向する部分が切りかかれており、ベース部１１に対してネジ止めされている。図２において、その止めネジは、底蓋１４に設けられた脚部１５によって隠されている。脚部１５は、発泡樹脂等のクッション材からなり、この実施形態では、ベース部１１の底面の四隅に配置されている。
【００２２】
接続筐体４は導電性材料からなり、マイクケーブルＭＣのコネクタＣ１の相手方となるコネクタＣ２を備えている。すなわち、例えばコネクタＣ１が雄コネクタであれば、コネクタＣ２には雌コネクタが用いられる。この実施形態において、コネクタＣ１、Ｃ２には、雌雄嵌合式のＸＬＲＭタイプのミニコネクタが用いられている。
【００２３】
図４（ａ）〜（ｃ）を参照して、接続筐体４は、第１回転ケースメンバー４Ａと、第２回転ケースメンバー４Ｂの組み合わせ体よりなる。双方ともに導電性材料からなる。
【００２４】
第１回転ケースメンバー４Ａは、相手方となる第２回転ケースメンバー４Ｂが嵌められる面が開放された中空の箱体からなり、軸方向の両端（図４（ａ）では左右方向）には回転軸４１，４１が一体に突設されている。各回転軸４１は、ベース部１１の底面とほぼ平行とされる。
【００２５】
各回転軸４１は、その根元側に円盤状の軸部４７を有し、先端側には接続筐体４を所定の回転位置に位置決めするための位置決め部４８が形成されている。図４（ｂ）に示すように、第１回転ケースメンバー４Ａの底部には、上記コネクタＣ２を取り付けるための取付孔４２が設けられている。
【００２６】
図４（ｃ）に示すように、第１回転ケースメンバー４Ａの両側壁４０，４０には、開放端側から中央にかけてＵ字状の切欠部４３が設けられている。図示しないコンデンサマイクロホンユニットに接続された配線の一端が、この切欠部４３を通って接続筐体４内に引き込まれ、コネクタＣ２に接続される。
【００２７】
また、第１回転ケースメンバー４Ａに開放端の周縁部には、第２回転ケースメンバー４Ｂに対する位置決め溝４４が形成されている。位置決め溝４４は、第１回転ケースメンバー４Ａの外周よりも一段低く形成されており、そこに第２回転ケースメンバー４Ｂを噛み合わせることにより、各回転ケースメンバー４Ａ、４Ｂ同士を位置決めする。
【００２８】
第２回転ケースメンバー４Ｂは、第１回転ケースメンバー４Ａの開放面に沿って噛み合わされる蓋体であり、その外周面は円弧状に形成されている。なお、図示しないが、接続筐体４が収納される凹部１３の底面内には、第２回転ケースメンバー４Ｂの外周面とほぼ同曲率の円弧面が設けられている。
【００２９】
第２回転ケースメンバー４Ｂには、第１回転ケースメンバー４Ａの切欠部４３に沿って差し込まれる係止凸部４６が形成されている。係止凸部４６は、切欠部４３に差し込み可能な板体からなり、その先端は、切欠部４３の一部に配線の引き込み孔を形成するため、切欠部４３よりも、短く形成されている。
【００３０】
次に、図６により、マイクケープルＭＣを水平引出位置（図８（ａ）参照）と、垂直下引出位置（図８（ｂ）参照）とに位置決めする位置決め手段について説明する。
【００３１】
位置決め部４８には、接続筐体４に接続されるマイクケーブルＭＣを机等の載置面に沿って平行に引き出した状態に位置決めするための第１ガイド面４８ａと、上記載置面に対して垂直下方に引き出した状態に位置決めするための第２ガイド面４８ｂとが設けられている。
【００３２】
この実施形態において、第１ガイド面４８ａと第２ガイド面４８ｂは、ほぼ９０°の交差で配置されているが、より細かな角度調整が必要な場合には、位置決め部の構成を６角形状や、８角形状にして回転の刻み幅を小さくすることで実現できる。
【００３３】
これに対して、ベース部１１内には、接続筐体４の回転に伴って、第１ガイド面４８ａもしくは第２ガイド面４８ｂのいずれか一方に弾性的に作用する板バネ６が設けられている。板バネ６の一端は、ベース部１１に立設されている支柱１６に固定されており、接続筐体４は、板バネ６を介してベース部１１と電気的に接続されている。
【００３４】
この実施形態においては、図７に示すように、接続筐体４の各回転軸４１は軸受けスペーサ５を介して凹部１３内に回転可能に保持される。
【００３５】
軸受けスペーサ５は、その中央部分に回転軸４１を挿通させるための挿通孔５１を有する金属製の円盤体からなる。軸受けスペーサ５には、挿通孔５１の軸線と直交し、かつ、互いに平行な自転防止用の係合段差面５２，５３が形成されている。
【００３６】
接続筐体４を凹部１３内に収納する際、一方の係合段差面５２は、凹部１３内に立設されている軸受けリブ１７の係止面１８に当接し、他方の係合段差面５３は、裏蓋１４によって押さえられる。
【００３７】
このようにして、接続筐体４は凹部１３内に回転可能に保持されるが、接続筐体４とベース部１１との電気的接続箇所は、主として、回転軸４１と軸受けスペーサ５との間と、板バネ６と位置決め部４８との間の２箇所であるが、いずれも点状の接触であるため、高周波的にインピーダンスを持ちやすい。
【００３８】
そのため、例えば携帯電話機が近傍で使用されると、その強い電磁波による高周波電流が点接触部分からマイクロホンケース１０内に入り込み、インピーダンス変換器によって検波されて雑音が発生することがある。
【００３９】
そこで、本発明では、上記回転機構部分のシールド性を高めるために、接続筐体４とベース部１１との間の隙間を導電布にて埋めることにより、シールド性を高める。導電布には、セーレン社製の品番Ｓｕｉ−７８−５０１０Ｔを例示できる。
【００４０】
具体例として、この実施形態においては、図５に示すように、導電布６０をワッシャ状に形成して、図４（ａ）に示すように、回転軸４１，４１の周りに配置する。
【００４１】
この場合、好ましくは導電布６０の内径φ１を回転軸４１の軸部４７の外径とほぼ同一とし、また、外径φ２を第２回転ケースメンバー４Ｂの曲率とほぼ等しくする。厚さは、接続筐体４とベース部１１との間の隙間寸法に応じて適宜決められるが、概ね１ｍｍ程度である。
【００４２】
この導電布６０を適度に圧縮させて、凹部１１の内壁面と接続筐体４の側壁面との間に配置する。図７に示すような軸受けスペーサ５を用いる場合には、軸受けスペーサ５の外側に配置されることが好ましいが、軸受けスペーサ５と接続筐体４の側壁面との間に配置されてもよい。
【００４３】
導電布６０は、表面が平滑で摺動抵抗が小さいことと弾力性を備えているため、回転部分のシールド材として好適であるが、これに代えて、導電スポンジや金属製のワッシャーが用いられてもよい。
【符号の説明】
【００４４】
１０  マイクロホンケース
１１  ベース部
１２  保護カバー
１３  凹部
１４  底蓋
４  接続筐体
４１  回転軸
５  軸受けスペーサ
６  板バネ
６０  導電布
ＭＣ  マイクケーブル
Ｃ１，Ｃ２  コネクタ
【図１】
2010226438.tif 000003
【図２】
2010226438.tif 000004
【図３】
2010226438.tif 000005
【図４】
2010226438.tif 000006
【図５】
2010226438.tif 000007
【図６】
2010226438.tif 000008
【図７】
2010226438.tif 000009
【図８】
2010226438.tif 000010